(57)【要約】【課題】  デジタル出力端子から出力する音声ストリームとは異なる音声ストリームをアナログ音声出力端子から出力することのできる音声再生装置を提供する。【解決手段】  ＤＴＳ復号機能を有さない音声再生装置は、音声ストリーム指定信号に従って、異なる符号化方式で符号化された１つまたは複数の音声ストリームの中から１つの音声ストリームを出力する音声ストリーム指定部１と、音声ストリーム指定部１の出力をＩＥＣ６１９３７規格のビットストリームに変換するデータ変換部２と、ビットストリーム出力端子３と、音声ストリーム指定信号がＤＴＳストリーム以外を指定するときは指定の音声ストリームを出力し、音声ストリーム指定信号がＤＴＳストリームを指定するときは代替の復号可能な音声ストリームを出力する代替部４と、代替部４の出力を復号する復号部５と、復号データをアナログデータに変換して音声を再生する音声再生部６と、音声出力端子７とを備える。【選択図】  図１
2007080365.tif 000002
【特許請求の範囲】
【請求項１】
入力された音声ストリーム指定信号に従って、ＤＴＳストリームおよびそれぞれ異なる符号化方式で符号化された復号可能な１つまたは複数の音声ストリームの中から１つの音声ストリームを出力する音声ストリーム指定手段と、
前記音声ストリーム指定手段から出力される音声ストリームをデジタルオーディオインタフェース規格のビットストリームに変換するデータ変換手段と、
前記音声ストリーム指定信号がＤＴＳストリーム以外を指定するときは前記音声ストリーム指定手段から出力される音声ストリームをそのまま出力し、前記音声ストリーム指定信号がＤＴＳストリームを指定するときはＤＴＳストリームに代替して前記復号可能な音声ストリームの中の１つの音声ストリームを出力する代替手段と、
前記代替手段から出力された音声ストリームを復号する復号手段と
を備えることを特徴とする音声再生装置。
【請求項２】
前記ビットストリーム出力端子から出力される音声ストリームの符号化方式および前記音声出力端子から出力される音声ストリームの符号化方式を検出する検出手段と、
前記検出手段により検出された符号化方式を表示装置に表示するための表示信号を生成する表示信号生成手段と
を備えることを特徴とする請求項１に記載の音声再生装置。
【請求項３】
前記復号可能な複数の音声ストリームに、ＡＣ−３ストリーム、リニアＰＣＭストリームおよびＭＰＥＧストリームのうちの少なくとも１つが含まれることを特徴とする請求項１または２に記載の音声再生装置。
【請求項４】
入力された音声ストリーム選択信号に従って、複数の音声ストリームの中から第１の音声ストリームおよび第２の音声ストリームを選択する選択手段と、
前記第１の音声ストリームをデジタルオーディオインタフェース規格のビットストリームに変換するデータ変換手段と、
前記第２の音声ストリームを復号する復号手段と、
前記第１の音声ストリームおよび前記第２の音声ストリームの種別を表示装置に表示するための表示信号を生成する表示信号生成手段と
を備えることを特徴とする音声再生装置。
【請求項５】
前記復号手段により復号されたデータをアナログデータに変換してアナログ音声を再生する音声再生手段を更に備えることを特徴とする請求項１または４に記載の音声再生装置。
【発明の詳細な説明】
【技術分野】
【０００１】
本発明は、音声再生装置に関し、特に複数の音声ストリームが入力される音声再生装置に関する。
【背景技術】
【０００２】
近年、音声や映像のデータをデジタルで記録した光ディスクであるＤＶＤディスクが普及し、これを再生するＤＶＤディスク再生装置が映画ソフトやカラオケ等の再生装置として広く利用されている。
【０００３】
ＤＶＤディスクでは最大８つの音声ストリームの記録が可能であり、ドルビーデジタル（ＡＣ−３）やリニアＰＣＭまたはＭＰＥＧなど、標準仕様の複数の符号化方式の音声ストリームを同時に記録することが可能である。また、オプションとしてＤＴＳ符号化方式の音声ストリーム（ＤＴＳストリーム）も記録可能であり、高音質のＤＴＳストリームが記録されたＤＶＤディスクも発売されている。このような複数の音声ストリームが記録されているＤＶＤディスクの音声を再生する場合、使用者はいずれかの音声ストリームを選択して再生することができる。
【０００４】
ところが、ＤＴＳストリームを復号するにはかなり大規模なハードウェアを必要とするため、一般的なＤＶＤディスクの音声再生装置にはＤＴＳデコーダが搭載されていない。そのため、このようなＤＶＤディスクの音声再生装置では、使用者がＤＴＳストリームを選択しても、ＤＶＤディスクから入力されたＤＴＳストリームが復号されることはない。
【０００５】
ただし、このようなＤＶＤディスクの音声再生装置にはＤＴＳビットストリームを出力するデジタル出力端子が設けられていることが多い。そこで、このようなＤＶＤディスクの音声再生装置を使用してＤＴＳストリームを選択した場合、使用者は、ＤＶＤディスクの音声再生装置のデジタル出力端子をＤＴＳデコーダ内蔵のＡＶアンプに接続し、ＡＶアンプ側で音声の再生を行なうこととなる。
【０００６】
しかし、通常のＤＶＤディスクの音声再生装置を使用する場合、音声ストリーム復号後のアナログ音声を出力するアナログ音声出力端子をＴＶに接続しているだけのことが多い。このような接続の場合、ＤＶＤディスクの音声再生装置でＤＴＳストリームを選択しても、ＴＶからは何も音が出ないという問題が生じる。
【０００７】
従来、この問題を解決する光ディスク再生装置として、使用者がＤＴＳストリームを選択した場合は、強制的にドルビーデジタル（ＡＣ−３）を選択して音を出す方式が提案されていた（例えば、特許文献１参照。）。
【０００８】
しかし、この方式では、デジタル出力端子からの出力もＡＣ−３ストリームに切り替わってしまうので、デジタル出力端子をＡＶアンプに接続してＤＴＳの高音質を楽しみたいというニーズには対応できないという問題があった。
【特許文献１】特開２００５−１１６１５２号公報  （第１６−１７ページ、図１）
【発明の開示】
【発明が解決しようとする課題】
【０００９】
そこで、本発明の目的は、デジタル出力端子から出力する音声ストリームとは異なる音声ストリームをアナログ音声出力端子から出力することのできる音声再生装置を提供することにある。
【課題を解決するための手段】
【００１０】
本発明の一態様によれば、入力された音声ストリーム指定信号に従って、ＤＴＳストリームおよびそれぞれ異なる符号化方式で符号化された復号可能な１つまたは複数の音声ストリームの中から１つの音声ストリームを出力する音声ストリーム指定手段と、前記音声ストリーム指定手段から出力される音声ストリームをデジタルオーディオインタフェース規格のビットストリームに変換するデータ変換手段と、前記音声ストリーム指定信号がＤＴＳストリーム以外を指定するときは前記音声ストリーム指定手段から出力される音声ストリームをそのまま出力し、前記音声ストリーム指定信号がＤＴＳストリームを指定するときはＤＴＳストリームに代替して前記復号可能な音声ストリームの中の１つの音声ストリームを出力する代替手段と、前記代替手段から出力された音声ストリームを復号する復号手段とを備えることを特徴とする音声再生装置が提供される。
【００１１】
また、本発明の別の一態様によれば、入力された音声ストリーム選択信号に従って、複数の音声ストリームの中から第１の音声ストリームおよび第２の音声ストリームを選択する選択手段と、前記第１の音声ストリームをデジタルオーディオインタフェース規格のビットストリームに変換するデータ変換手段と、前記第２の音声ストリームを復号する復号手段と、前記第１の音声ストリームおよび前記第２の音声ストリームの種別を表示装置に表示するための表示信号を生成する表示信号生成手段とを備えることを特徴とする音声再生装置が提供される。
【発明の効果】
【００１２】
本発明によれば、デジタル出力端子から出力する音声ストリームとは異なる音声ストリームをアナログ音声出力端子から出力することができる。
【発明を実施するための最良の形態】
【００１３】
以下、本発明の実施例を図面を参照して説明する。
【実施例１】
【００１４】
図１は、本発明の実施例１に係る音声再生装置の構成の例を示すブロック図である。本実施例の音声再生装置は、標準仕様のＡＣ−３ストリーム、リニアＰＣＭストリームまたはＭＰＥＧストリームの復号機能は有しているが、オプション仕様のＤＴＳストリームの復号機能を有していないものである。
【００１５】
本実施例の音声再生装置は、ＤＴＳストリームおよび標準仕様の音声ストリームの中から音声ストリーム指定信号によって指定された音声ストリームを選択して出力する音声ストリーム指定部１と、指定部１から出力された音声ストリームをデジタルオーディオインタフェース規格であるＩＥＣ６１９３７規格のビットストリームに変換するデータ変換部２と、データ変換部２から出力されたビットストリームを出力するビットストリーム出力端子３とを備える。
【００１６】
データ変換部２は、入力された音声ストリームから１フレームずつデータを抜き取る１フレーム抜き取り回路２１と、抜き取った１フレームのデータの直前にプリアンブルデータを付加するプリアンブル付加回路２２と、抜き取った１フレームのデータの直後にスタッフィングデータを付加するスタッフィング付加回路２３と、プリアンブルデータおよびスタッフィングデータが付加されたフレームデータをＩＥＣ６０９５８規格のビットストリームに変換する変換回路２４とを有する。
【００１７】
また、本実施例の音声再生装置は、音声ストリーム指定信号が標準仕様の音声ストリームを指定するときは音声ストリーム指定部１から出力される音声ストリームを出力し、音声ストリーム指定信号がＤＴＳストリームを指定するときはＤＴＳストリームの代わりに標準仕様の音声ストリームの中の１つの音声ストリームを出力する代替部４と、代替部４から出力された音声ストリームを復号する音声復号部５と、音声復号部５により復号されたデータをアナログデータに変換してアナログ音声を再生する音声再生部６と、音声再生部６により再生されたアナログ音声を出力する音声出力端子７とを備える。
【００１８】
音声再生部６は、音声復号部５により復号されたデジタルデータをアナログデータに変換するＤ／Ａ変換器６１と、Ｄ／Ａ変換器６１の出力を増幅する増幅回路６２とを有する。
【００１９】
ここで、音声ストリーム指定部１および代替部４に入力されるＤＴＳストリームおよび標準仕様の音声ストリームは、例えば、記録媒体２００から読み出したデータを復調部１００で復調し、信号処理部１１０でエラー訂正を行い、音声ストリーム分離部１２０で音声や映像のデータから音声ストリームのみを分離することにより得られるものである。
【００２０】
次に、本実施例の音声再生装置の動作について説明する。
【００２１】
記録媒体２００がＤＶＤディスクの場合、最大８つの音声ストリームが記録されている。そこで、使用者は音声ストリーム指定信号を入力して、再生したい音声ストリームを指定する。
【００２２】
この入力された音声ストリーム指定信号の指定に従って、音声ストリーム指定部１は、音声ストリーム分離部１２０から出力される音声ストリームの中から使用者が所望する音声ストリームを選択してデータ変換部２へ出力する。データ変換部２から出力された音声ストリームは、データ変換部２によりＩＥＣ６１９３７規格のビットストリームに変換され、ビットストリーム出力端子３から出力される。
【００２３】
したがって、音声ストリーム指定信号によりＤＴＳストリームが指定された場合、音声ストリーム指定部１からＤＴＳストリームが出力され、データ変換部２によりＩＥＣ６１９３７規格のビットストリームに変換されたＤＴＳビットストリームが、ビットストリーム出力端子３から出力される。
【００２４】
同様に、音声ストリーム指定信号により標準仕様の音声ストリームが指定されたときは、その音声ストリームをＩＥＣ６１９３７規格で変換したビットストリームがビットストリーム出力端子３から出力される。
【００２５】
一方、音声ストリーム指定信号によりＤＴＳストリームが指定された場合、代替部４は、音声ストリーム指定部１から出力されるＤＴＳストリームに代えて、音声ストリーム分離部１２０から出力される音声ストリームの中から標準仕様の音声ストリーム、例えばＡＣ−３ストリームを選択して音声復号部５へ出力する。代替部４から出力された標準仕様の音声ストリームは、音声復号部５で復号され、音声再生部６でアナログ音声に再生され、音声出力端子７からアナログ音声として出力される。
【００２６】
すなわち、音声ストリーム指定信号によりＤＴＳストリームが指定された場合、ＤＴＳストリームの代わりに標準仕様の音声ストリーム、例えばＡＣ−３ストリームが復号され、音声出力端子７からアナログ音声が出力される。
【００２７】
これに対して、音声ストリーム指定信号により標準仕様の音声ストリームが指定された場合、代替部４は、音声ストリーム指定部１から出力される標準仕様の音声ストリームをそのまま音声復号部５へ出力する。したがって、この場合、音声ストリーム指定信号により指定された音声ストリームを復号して再生したアナログ音声が音声出力端子７から出力される。
【００２８】
このような本実施例によれば、ビットストリーム出力端子からＤＴＳビットストリームを出力しているときに、ＤＴＳ復号機能がなくても、アナログ音声端子からアナログ音声を出力することができ、アナログ音声出力端子に接続されるＴＶなどの装置の音声が無音になることを防ぐことができる。また、このとき、ビットストリーム出力端子をＡＶアンプに接続してＤＴＳストリームを高音質で再生することもできる。
【実施例２】
【００２９】
図２は、本発明の実施例２に係る音声再生装置の構成の例を示すブロック図である。
【００３０】
本実施例の音声再生装置は、図１に示す実施例１の音声再生装置に符号化方式検出部８と表示信号生成部９とを追加し、ビットストリーム出力端子３および音声出力端子７から出力される音声ストリームのそれぞれの符号化方式を表示するための表示信号を出力するようにしたものである。そこで、図２において、図１と同じ機能を有するブロックには図１と同じ符号を付し、ここではその詳細な説明を省略する。
【００３１】
本実施例の音声再生装置においても実施例１の音声再生装置と同様、音声ストリーム指定信号によりＤＴＳストリームを指定した場合、ビットストリーム出力端子３からは指定したとおりのＤＴＳビットストリームが出力されるが、音声出力端子７からは指定とは異なる標準仕様の音声ストリームが再生される。このような場合、使用者は、音声出力端子７からどの音声ストリームが再生されているかを知ることができると便利である。
【００３２】
そこで、本実施例の音声再生装置は、ビットストリーム出力端子３および音声出力端子７から出力される音声ストリームのそれぞれの符号化方式を検出する符号化方式検出部８と、符号化方式検出部８で検出された符号化方式をＯＳＤ（オンスクリーンディスプレイ）などの表示装置（図示せず）に表示するための表示信号を生成する表示信号生成部９とを備える。
【００３３】
符号化方式検出部８は、音声ストリーム指定信号の指定にもとづいて、ビットストリーム出力端子３および音声出力端子７から出力される音声ストリームの属性情報を信号処理部１１０から取り出し、属性情報に記されている符号化方式の情報を検出する。
【００３４】
表示信号生成部９は、符号化方式検出部８で検出された符号化方式の情報をもとに外部の表示装置の表示形式に合わせた表示信号を生成する。生成された表示信号は、外部の表示装置へ出力される。
【００３５】
図３は、この表示信号により、外部の表示装置に表示された表示の例を示す。ここでは、音声ストリーム指定信号によりＤＴＳストリームが指定され、ビットストリーム出力端子３からＤＴＳビットストリームが出力され、音声出力端子７からＡＣ−３ストリームの再生音声が出力されているときの表示例を示す。
【００３６】
図３に見るように、表示装置には、ビットストリーム出力端子３にＤＴＳビットストリームが出力され、音声出力端子７にＡＣ−３ストリームの再生音声が出力されていることが示される。
【００３７】
このような本実施例によれば、使用者は、ビットストリーム出力端子および音声出力端子に出力されている音声ストリームの符号化形式を容易に知ることができる。特に、音声ストリーム指定信号によりＤＴＳストリームを指定したときに音声出力端子で再生される音声ストリームの符号化形式を知ることができるので有用である。
【実施例３】
【００３８】
図４は、本発明の実施例３に係る音声再生装置の構成の例を示すブロック図である。
【００３９】
本実施例は、ビットストリーム出力端子と音声出力端子へ出力する音声ストリームをそれぞれ選択することができ、ビットストリーム出力端子と音声出力端子から異なる音声ストリームを同時に出力することができる音声再生装置である。本実施例の主要部分の構成は、図１に示す実施例１の音声再生装置と同じであるので、図４において、図１と同じ機能を有するブロックには図１と同じ符号を付し、ここではその詳細な説明を省略する。
【００４０】
本実施例の音声再生装置は、選択部１０と、表示信号生成部９０とを有する。
【００４１】
選択部１０は、入力された音声ストリーム選択信号に指示にもとづいて、音声ストリーム分離部１２０から出力される音声ストリームの中から、データ変換部２へ出力する音声ストリームと、音声復号部５へ出力する音声ストリームをそれぞれ選択する。
【００４２】
選択部１０から出力された音声ストリームは、データ変換部２および音声復号部５でそれぞれ処理され、ビットストリーム出力端子３および音声出力端子７へ出力される。
【００４３】
表示信号生成部９０は、音声ストリーム選択信号の指示に基づいて、ビットストリーム出力端子３および音声出力端子７から出力される音声ストリームの種別を外部の表示装置（図示せず）に表示するための表示信号を生成する。
【００４４】
次に、本実施例の音声再生装置に適した使用方法について説明する。
【００４５】
外国映画を収録したＤＶＤディスクの場合、一般に英語などの原語の音声ストリームと日本語の音声ストリームの両方が記録されている。このようなＤＶＤディスクを再生する場合、通常はどちらかの言語を選択して音声ストリームを再生する。しかし、例えば、多人数でＤＶＤディスクを視聴する場合、原語の音声ストリームの再生を望む人と、日本語の音声ストリームの再生を望む人が混在することがある。このような場合に、本実施例の音声再生装置を用いると、両方の音声ストリームを同時に再生することができる。
【００４６】
例えば、音声ストリーム選択信号を用いて、データ変換部２へ原語の音声ストリームを出力し、音声復号部５へ日本語音声ストリームを出力するように選択部１０へ指示すると、ビットストリーム出力端子３へは原語のビットストリームが出力され、音声出力端子７へは日本語のアナログ音声が出力される。そこで、ビットストリーム出力端子３をＡＶアンプに接続し、音声出力端子７をＴＶに接続して再生すれば、ＡＶアンプからは原語の音声が出力され、ＴＶからは日本語の音声が出力される。
【００４７】
すなわち、原語の音声と日本語の音声を同時に再生することができ、それぞれの音声での再生を望む人を同時に満足させることができる。
【００４８】
このとき、表示信号生成部９０で生成される表示信号を外部の表示装置に出力することにより、ビットストリーム出力端子３および音声出力端子７へ出力されている音声ストリームの種別を外部の表示装置に表示させることができる。
【００４９】
図５に、この表示信号により、外部の表示装置に表示された表示の例を示す。ここでは、ビットストリーム出力端子３へ英語のビットストリームが出力され、音声出力端子７へ日本語の音声ストリームが出力されていることを示す。
【００５０】
このような本実施例によれば、ビットストリーム出力端子と音声出力端子へ異なる音声ストリームを同時に出力でき、それぞれの音声ストリームを同時に再生することができる。これにより、例えば外国語と日本語でコンテンツを同時に楽しむことができる。
【００５１】
なお、上述の各実施例の説明では、再生の対象の例を複数の音声ストリームが記録されている記録媒体として説明したが、再生の対象は、これに限るものではなく、例えば、複数の音声ストリームが同時に送信されてくる放送コンテンツを再生の対象としてもよい。
【００５２】
また、上述の各実施例の音声再生装置を集積回路に搭載した半導体装置として実現してもよい。そのとき、音声再生装置全体を集積回路としてもよく、あるいは、アナログ回路を含んでいる音声再生部を除いた部分を集積回路としてもよい。
【図面の簡単な説明】
【００５３】
【図１】本発明の実施例１に係る音声再生装置の構成の例を示すブロック図。
【図２】本発明の実施例２に係る音声再生装置の構成の例を示すブロック図。
【図３】本発明の実施例２に係る音声再生装置から出力される表示信号による表示の例を示す図。
【図４】本発明の実施例３に係る音声再生装置の構成の例を示すブロック図。
【図５】本発明の実施例３に係る音声再生装置から出力される表示信号による表示の例を示す図。
【符号の説明】
【００５４】
１  音声ストリーム指定部
２  データ変換部
３  ビットストリーム出力端子
４  代替部
５  音声復号部
６  音声再生部
７  音声出力端子
８  符号化方式検出部
９、９０  表示信号生成部
１０  選択部
２１  １フレーム抜き取り回路
２２  プリアンブル付加回路
２３  スタッフィング付加回路
２４  変換回路
６１  Ｄ／Ａ変換器
６２  増幅回路
【図１】
2007080365.tif 000003
【図２】
2007080365.tif 000004
【図３】
2007080365.tif 000005
【図４】
2007080365.tif 000006
【図５】
2007080365.tif 000007